(57)【要約】【課題】所望の電線インピーダンス特性を確保することができるノイズ吸収装置を提供する。【解決手段】ノイズ吸収装置１は、コア５，６から構成されたコア部材３と、このコア部材３を収容するケース部材４とを備えている。コア５は、電線２が巻かれる巻芯部７と、この巻芯部７の両端に設けられた鍔部８，９とからなっている。鍔部８には、電線２を通すための切欠き（第１挿通口）１０が形成されている。コア６は、コア５全体を包囲するように配置された略円筒状の外壁部１１からなっている。外壁部１１には、巻芯部７の軸芯方向に延在するスリット（第２挿通口）１２が形成されている。ケース部材４は、コア５，６を相対的に回転自在となるように保持すると共に、切欠き１０及びスリット１２を露出させるように構成されている。【選択図】図２
2008251632.tif 000002
【特許請求の範囲】
【請求項１】
第１挿通口及び第２挿通口を有するコア部材と、前記コア部材を収容するケース部材とを備え、前記第１挿通口及び前記第２挿通口を介して前記コア部材に電線を挿通させることにより、前記電線に流れるノイズを吸収するノイズ吸収装置であって、
前記コア部材は、
前記電線が巻かれる巻芯部を有する第１コアと、
前記巻芯部を包囲するように配置された外壁部を有する第２コアとを有し、
前記第１挿通口は、前記第１コアに設けられ、
前記第２挿通口は、前記第２コアに設けられ、
前記ケース部材は、前記第１コア及び前記第２コアを相対的に回転自在となるように保持すると共に、前記第１挿通口及び前記第２挿通口を露出させるように構成されていることを特徴とするノイズ吸収装置。
【請求項２】
前記第１コアは、前記巻芯部と一体化された鍔部を更に有し、
前記鍔部には、前記第１挿通口を形成する切欠きが設けられ、
前記外壁部には、前記巻芯部の軸芯方向に延在し、前記第２挿通口を形成するスリットが設けられ、
前記ケース部材は、前記切欠き及び前記スリットを露出させるように構成されていることを特徴とする請求項１記載のノイズ吸収装置。
【発明の詳細な説明】
【技術分野】
【０００１】
本発明は、例えば電子機器の電線に流れるノイズを吸収するノイズ吸収装置に関するものである。
【背景技術】
【０００２】
従来のノイズ吸収装置としては、例えば特許文献１に記載されているものが知られている。本文献に記載のノイズ吸収装置は、１対のフェライトコアを備えている。各フェライトコアは軸部、外筒部及び底壁部を有し、底壁部から外筒部の開口端までの領域には、信号線をフェライトコア内に挿入するための切欠きが設けられている。このようなノイズ吸収装置を信号線に装着する場合には、１対のフェライトコアを各切欠きの位置が合うように突き合わせ、信号線を切欠きからフェライトコア内に挿入した状態で、一方のフェライトコアを他方のフェライトコアに対して回転させることで、信号線を軸部に所定回数巻き付ける。
【特許文献１】特開平１０−４１１３９号公報
【発明の開示】
【発明が解決しようとする課題】
【０００３】
しかしながら、上記従来技術においては、１対のフェライトコアが接合された構成となっているので、以下の問題点が存在する。即ち、上述したように一方のフェライトコアを他方のフェライトコアに対して回転させるため、各フェライトコアの突き合わせ面において軸部同士の位置ずれ（芯ずれ）が発生しやすくなる。このような各フェライトコアの芯ずれが生じると、フェライトコアにより形成される磁路もずれることになり、磁路の実効断面積が小さくなるため、電線のインピーダンス特性が劣化してしまう。また、各フェライトコアの加工精度や寸法精度が悪いと、各フェライトコアの芯ずれに加え、各フェライトコアの軸部接合面にギャップが生じやすくなるため、電線のインピーダンス特性の劣化につながる。これを防止するためには、フェライトコアの加工精度や寸法精度を十分に高める必要があるが、この場合にはフェライトコアの作製にかなりの手間がかかることになる。
【０００４】
本発明の目的は、所望の電線インピーダンス特性を確保することができるノイズ吸収装置を提供することにある。
【課題を解決するための手段】
【０００５】
本発明は、第１挿通口及び第２挿通口を有するコア部材と、コア部材を収容するケース部材とを備え、第１挿通口及び第２挿通口を介してコア部材に電線を挿通させることにより、電線に流れるノイズを吸収するノイズ吸収装置であって、コア部材は、電線が巻かれる巻芯部を有する第１コアと、巻芯部を包囲するように配置された外壁部を有する第２コアとを有し、第１挿通口は、第１コアに設けられ、第２挿通口は、第２コアに設けられ、ケース部材は、第１コア及び第２コアを相対的に回転自在となるように保持すると共に、第１挿通口及び第２挿通口を露出させるように構成されていることを特徴とするものである。
【０００６】
このようなノイズ吸収装置を電線に装着する場合には、例えばコア部材の第１挿通口及び第２挿通口を介してコア部材に電線を挿通させた状態で、コア部材にケース部材を組み付ける。このとき、ケース部材は第１挿通口及び第２挿通口を露出させるように構成されているので、第１挿通口及び第２挿通口からの電線の引き出しを妨げることは無い。そして、その状態で、第１コアを第２コアに対して回転させて、電線を第１コアの巻芯部に所定回数巻き付ける。このように本発明のノイズ吸収装置では、例えばコア部材にケース部材を組み付けた状態でも、電線を巻芯部に容易に且つ確実に巻き付けることができる。この場合には、従来技術のようにコア部材を巻芯部の軸芯方向に２分割した構造と異なり、コア部材の芯ずれ等が生じることは無いので、所望の磁路実効断面積が確保されることとなる。これにより、コア部材の芯ずれ等に起因した電線のインピーダンス特性の劣化を防止することができる。
【０００７】
好ましくは、第１コアは、巻芯部と一体化された鍔部を更に有し、鍔部には、第１挿通口を形成する切欠きが設けられ、外壁部には、巻芯部の軸芯方向に延在し、第２挿通口を形成するスリットが設けられ、ケース部材は、切欠き及びスリットを露出させるように構成されている。
【０００８】
第１コアの鍔部に切欠きを設け、第２コアの外壁部にスリットを設けることにより、電線の両端側に電子部品等が接続されている場合でも、第１コアと第２コアとを分離させることで、電線をコア部材に容易に挿通させることができる。また、電線を第１コアの巻芯部に複数回巻き付ける場合には、電線をスリットに沿って動かしながら、第１コアを第２コアに対して回転させることで、電線を巻芯部の軸芯方向に沿ってほぼ均等に巻き付けることができる。
【発明の効果】
【０００９】
本発明によれば、所望の電線インピーダンス特性を確保することができる。これにより、電線に流れるノイズの吸収効率の優れたノイズ吸収装置を得ることが可能となる。
【発明を実施するための最良の形態】
【００１０】
以下、本発明に係るノイズ吸収装置の好適な実施形態について、図面を参照して詳細に説明する。
【００１１】
図１は、本発明に係るノイズ吸収装置の一実施形態を示す斜視図であり、図２は、図１に示すノイズ吸収装置の断面図である。各図において、本実施形態のノイズ吸収装置１は、電子機器同士を接続する電線２（図５参照）に流れる雑音電流を吸収する装置である。
【００１２】
ノイズ吸収装置１は、コア部材３と、このコア部材３を収容するケース部材４とを備えている。コア部材３は、フェライトや磁性金属材料等で形成され、ケース部材４は、絶縁樹脂等で形成されている。コア部材３は、図２及び図３に示すように、コア５，６から構成されている。
【００１３】
コア５は、電線２が巻かれる巻芯部７と、この巻芯部７の両端に設けられた円形状の鍔部８，９とからなっている。鍔部８には、電線２を通すための湾曲状の切欠き１０が形成されている。この切欠き１０は、電線２をコア部材３に挿通させるための２つの電線挿通口の一方（第１挿通口）を形成している。また、鍔部８には、例えば回転用取手（図示せず）が設けられている。
【００１４】
コア６は、コア５全体を包囲するように配置された略円筒状の外壁部１１からなっている。外壁部１１には、巻芯部７の軸芯方向に延在するスリット１２が形成されている。このスリット１２は、電線２をコア部材３に挿通させるための２つの電線挿通口の他方（第２挿通口）を形成している。なお、外壁部１１は、上記の一体構造に限られず、２つに分割した構造であっても良い。
【００１５】
ケース部材４は、図４に示すように、ヒンジ等を介して開閉自在に連結されたケース１３，１４から構成され、コア５，６を相対的に回転自在となるように保持する。
【００１６】
ケース１３は、略半円筒状の本体部１５と、この本体部１５の両端から内周側に張り出すように設けられた１対の半環状の抜け止め部１６とを有している。本体部１５の先端には、ケース部材４を閉じたときにケース１３，１４を係止するための２つのフック部１７が設けられている。
【００１７】
ケース１４は、上記の本体部１５及び抜け止め部１６と同じ構造をもった本体部１８及び１対の抜け止め部１９を有している。本体部１８の先端には、各フック部１７と係合する２つのフック受け部２０が設けられている。また、本体部１８の先端部には、矩形状の切欠き２１が形成されている。
【００１８】
図４（ａ）に示すように閉じた状態のケース部材４には、抜け止め部１６，１９によって円形状の開口部２２が形成されると共に、切欠き２１によって矩形状の開口部２３が形成されることとなる。開口部２２は、図１に示すようにケース部材４がコア部材３に組み付けられたときに、コア５に設けられた切欠き１０の大部分を露出させるように構成されている。また、開口部２３は、同様にケース部材４がコア部材３に組み付けられたときに、コア６に設けられたスリット１２の大部分を露出させるように構成されている。
【００１９】
また、ケース部材４がコア部材３に組み付けられた状態では、コア部材３のコア５，６は、抜け止め部１６，１９によりケース部材４に対して軸芯方向に拘束されることになる。従って、コア５，６は、ケース部材４から抜け出ること無くケース部材４に確実に保持された状態で、相対的に回転自在となる。
【００２０】
以上のように構成したノイズ吸収装置１に電線２を装着する場合には、まず図５に示すように、コア５の切欠き１０に電線２を上下方向に通す。そして、コア６のスリット１２が切欠き１０の反対側に位置するようにコア５，６を上下に配置した状態で、図６に示すように、電線２をスリット１２に沿わせながら、コア５をコア６内に挿入する。これにより、電線２が切欠き（第１挿通口）１０及びスリット（第２挿通口）１２を介してコア部材３を挿通した状態となる。このようにコア５の鍔部８に切欠き１０を設けると共にコア６の外壁部１１にスリット１２を設け、切欠き１０及びスリット１２に電線２を通すことにより、電線２をコア部材３に対して容易に挿通させることができる。
【００２１】
続いて、図７に示すように、コア部材３にケース部材４を組み付ける。具体的には、ケース部材４のケース１４に設けられた切欠き２１がコア６のスリット１２と重なり合うように、ケース部材４をコア部材３に対して配置した状態でケース１３，１４を閉じ、各フック部１７を各フック受け部２０に引っ掛ける。これにより、電線２の一端側は、ケース部材４の開口部２３から引き出された状態となる。
【００２２】
続いて、電線２が所定のインピーダンスになるようにすべく、図８に示すように、例えばコア５の鍔部８に設けられた回転用取手（図示せず）を掴んで、コア５をコア６（ケース部材４）に対して矢印方向に回転させることにより、電線２をコア５の巻芯部７に所定回数だけ巻き付ける。このとき、電線２を巻芯部７に複数回巻き付ける場合には、開口部２３の延在方向に電線２を動かしながら、コア５をコア６に対して回転させると、電線２は、巻芯部７の同じ部位だけに何回も巻き付けられるのでは無く、巻芯部７の軸芯方向に沿って螺旋状に巻き付けられるようになる。以上により、ノイズ吸収装置１への電線２の装着が完了する。
【００２３】
ここでは、ケース部材４をコア部材３に組み付けた後に、コア５を矢印方向に回転させて、電線２を巻芯部７に巻き付けるようにしたが、ケース部材４をコア部材３に組み付ける前つまり図６に示す状態で、巻芯部７への電線２の巻き付けを行っても良い。このとき、上記と同様にコア５を図８に示す矢印方向に回転させても良いし、或いはコア６を図８に示す矢印方向とは反対の方向に回転させても良い。
【００２４】
また、電線２に電子部品が接続されていない場合や、電線２に小型の電子部品が接続されている場合には、コア部材３にケース部材４を組み付けた状態で、例えば電線２を上記の切欠き１０及びスリット１２を直接通すようにしても良い。
【００２５】
以上のように本実施形態にあっては、巻芯部７と鍔部８，９とが一体化されてなるコア５と、このコア５を包囲するように配置された外壁部１１を有するコア６とを備え、鍔部８に切欠き（第１挿通口）１０を設け、外壁部１１にスリット（第２挿通口）１２を設け、コア５，６を相対的に回転させて、巻芯部７に電線２を巻き付けるようにしたので、従来のように巻芯部が軸芯方向に２分割された構造とした場合に発生する芯ずれやギャップとは全く無縁となる。従って、コア部材３により形成される磁路のずれによる実効断面積の減少が防止されるため、電線２の所望のインピーダンス特性を得ることができる。これにより、電線２に流れる雑音電流の吸収効率を向上させることが可能となる。
【００２６】
また、上述したように巻芯部の芯ずれやギャップが生じることは無いので、コア部材３の加工精度や寸法精度としては通常の許容範囲を満足させれば足りる。従って、コア部材３の作製工程の煩雑化を防止することができる。
【００２７】
なお、本発明は、上記実施形態に限られるものではない。例えばコア部材の構造としては、上記実施形態の他にも種々変形が可能である。コア部材の幾つかの変形例を図９〜図１８に示す。図中、上記実施形態と同一または同等の部材には同じ符号を付し、その説明を省略する。
【００２８】
図９に示すコア部材３は、コア３１，３２から構成されている。コア３１は、電線２が巻かれる巻芯部３３と、この巻芯部３３の一端に設けられた鍔部３４とからなっている。鍔部３４には、電線２を通すための切欠き３５が形成されている。コア３２は、円盤状の底壁部３６（図１０参照）と、巻芯部３３を包囲するように底壁部３６上に設けられた略円筒状の外壁部３７とからなっている。外壁部３７には、電線２を通すためのスリット３８が形成されている。
【００２９】
このようなコア３１，３２は、図１０に示すように、鍔部３４が外壁部３７上に載った状態で、相対的に回転自在となるようにケース部材４に保持される。
【００３０】
図１１に示すコア部材３は、コア４１，４２から構成されている。コア４１は、電線２が巻かれる巻芯部４３と、この巻芯部４３の一端に設けられた鍔部４４とからなっている。鍔部４４には、電線２を通すための切欠き４５が形成されている。コア４２は、円盤状の底壁部４６（図１２参照）と、巻芯部４３を包囲するように底壁部４６上に設けられた略円筒状の外壁部４７とからなっている。外壁部４７には、電線２を通すためのスリット４８が形成されている。底壁部４６の中央部には、図１２に示すように、巻芯部４３を貫通させる円形状の貫通孔４９が形成されている。
【００３１】
このようなコア４１，４２は、図１２に示すように、巻芯部４３が貫通孔４９に挿入されると共に鍔部４４が外壁部４７上に載った状態で、相対的に回転自在となるようにケース部材４に保持される。
【００３２】
図１３に示すコア部材３は、コア５１及び上記コア４２から構成されている。コア５１は、電線２が巻かれる巻芯部５２と、この巻芯部５２の一端に設けられた鍔部５３とからなっている。鍔部５３の内側（巻芯部５２側）の面には、図１４に示すように、コア４２の外壁部４７の内側空間に嵌合する突部５３ａが設けられている。鍔部５３には、電線２を通すための切欠き５４が形成されている。
【００３３】
このようなコア５１，４２は、図１４に示すように、巻芯部５２が貫通孔４９に挿入されると共に鍔部５３が外壁部４７上に載った状態で、相対的に回転自在となるようにケース部材４に保持される。
【００３４】
図１５に示すコア部材３は、コア６１，６２から構成されている。コア６１は、電線２が巻かれる巻芯部６３と、この巻芯部６３の両端に設けられた鍔部６４，６５とからなっている。鍔部６４には、電線２を通すための切欠き６６が形成されている。コア６２は、巻芯部６３及び鍔部６５を包囲するように配置された略円筒状の外壁部６７からなっている。外壁部６７には、電線２を通すためのスリット６８が形成されている。
【００３５】
このようなコア６１，６２は、図１６に示すように、鍔部６４が外壁部６７上に載った状態で、相対的に回転自在となるようにケース部材４に保持される。
【００３６】
図１７に示すコア部材３は、コア７１，７２から構成されている。コア７１は、電線２が巻かれる巻芯部７３と、この巻芯部７３の両端に設けられた鍔部７４，７５とからなっている。鍔部７４には、電線２を通すための切欠き７６が形成されている。コア７２は、巻芯部７３を包囲するように配置される略円筒状の外壁部７７からなっている。外壁部７７には、電線２を通すためのスリット７８（図１８参照）が形成されている。外壁部７７は、略半筒状体７７ａ，７７ｂの一端面同士を接合して構成される。
【００３７】
このようなコア７１，７２は、図１８に示すように、外壁部７７が鍔部７４，７５間に配置された状態で、相対的に回転自在となるようにケース部材４に保持される。
【００３８】
上記実施形態及び変形例では、コア部材３とケース部材４とを接着固定しない構造としたが、コア部材３を構成する２つのコアが互いに回転自在となっていれば、例えばスリットを有するコアとケース部材４とを接着固定しても良い。
【００３９】
また、上記実施形態及び変形例では、コア部材３を構成する２つのコアの一方（第１コア）に第１挿通口としての切欠きを設け、２つのコアの他方（第２コア）に第２挿通口としてのスリットを設ける構成としたが、第１挿通口及び第２挿通口としては貫通穴等であっても良い。
【図面の簡単な説明】
【００４０】
【図１】本発明に係るノイズ吸収装置の一実施形態を示す斜視図である。
【図２】図１に示したノイズ吸収装置の断面図である。
【図３】図１に示したコア部材の分解斜視図である。
【図４】図１に示したケース部材の開いた状態及び閉じた状態を示す斜視図である。
【図５】図１に示したノイズ吸収装置を電線に装着する工程を示す斜視図である。
【図６】図１に示したノイズ吸収装置を電線に装着する工程を示す斜視図である。
【図７】図１に示したノイズ吸収装置を電線に装着する工程を示す斜視図である。
【図８】図１に示したノイズ吸収装置を電線に装着する工程を示す斜視図である。
【図９】図３に示したコア部材の変形例を示す分解斜視図である。
【図１０】図９に示したコア部材を備えたノイズ吸収装置の断面図である。
【図１１】図３に示したコア部材の他の変形例を示す分解斜視図である。
【図１２】図１１に示したコア部材を備えたノイズ吸収装置の断面図である。
【図１３】図３に示したコア部材の更に他の変形例を示す分解斜視図である。
【図１４】図１３に示したコア部材を備えたノイズ吸収装置の断面図である。
【図１５】図３に示したコア部材の更に他の変形例を示す分解斜視図である。
【図１６】図１５に示したコア部材を備えたノイズ吸収装置の断面図である。
【図１７】図３に示したコア部材の更に他の変形例を示す分解斜視図である。
【図１８】図１７に示したコア部材を備えたノイズ吸収装置の断面図である。
【符号の説明】
【００４１】
１…ノイズ吸収装置、２…電線、３…コア部材、４…ケース部材、５…コア（第１コア）、６…コア（第２コア）、７…巻芯部、８…鍔部、１０…切欠き（第１挿通口）、１１…外壁部、１２…スリット（第２挿通口）、３１…コア（第１コア）、３２…コア（第２コア）、３３…巻芯部、３４…鍔部、３５…切欠き（第１挿通口）、３７…外壁部、３８…スリット（第２挿通口）、４１…コア（第１コア）、４２…コア（第２コア）、４３…巻芯部、４４…鍔部、４５…切欠き（第１挿通口）、４７…外壁部、４８…スリット（第２挿通口）、５１…コア（第１コア）、５２…巻芯部、５３…鍔部、５４…切欠き（第１挿通口）、６１…コア（第１コア）、６２…コア（第２コア）、６３…巻芯部、６４…鍔部、６６…切欠き（第１挿通口）、６７…外壁部、６８…スリット（第２挿通口）、７１…コア（第１コア）、７２…コア（第２コア）、７３…巻芯部、７４…鍔部、７６…切欠き（第１挿通口）、７７…外壁部、７８…スリット（第２挿通口）。
【図１】
2008251632.tif 000003
【図２】
2008251632.tif 000004
【図３】
2008251632.tif 000005
【図４】
2008251632.tif 000006
【図５】
2008251632.tif 000007
【図６】
2008251632.tif 000008
【図７】
2008251632.tif 000009
【図８】
2008251632.tif 000010
【図９】
2008251632.tif 000011
【図１０】
2008251632.tif 000012
【図１１】
2008251632.tif 000013
【図１２】
2008251632.tif 000014
【図１３】
2008251632.tif 000015
【図１４】
2008251632.tif 000016
【図１５】
2008251632.tif 000017
【図１６】
2008251632.tif 000018
【図１７】
2008251632.tif 000019
【図１８】
2008251632.tif 000020